(57)【要約】【課題】証券取引所の取引環境を模擬し、発注試験を効率的に行う。【解決手段】証券の売買取引の注文を行う発注試験システム２０にネットワーク接続され、この発注試験システム２０から送信される注文情報を受信する通信部１０２と、売買取引の実行指示情報を予め定義したシナリオ情報を格納するシナリオ情報データベース１０５ｃと、通信部１０２において受信した注文情報の出力を管理し、売買取引を制御する取引制御部１０１と、注文情報に基づいて板情報を作成すると共に、この板情報に基づいて売買取引を実行する取引処理部１０６とを備え、取引制御部１０１が、シナリオ情報の実行時、取引処理部１０６への注文情報の出力経路を閉鎖して注文情報を一時記憶領域に蓄積し、シナリオ情報から他の注文情報を作成し、板情報を更新させた後に、出力経路を開放して蓄積された注文情報を出力する証券取引所シミュレータ。【選択図】図１
2010211491.tif 000002
【特許請求の範囲】
【請求項１】
証券の売買取引の注文を行う発注試験システムにネットワークを介して接続され、この発注試験システムから送信される注文情報を受信すると共に、この注文情報に係る取引結果を前記発注試験システムに送信する通信部と、
前記売買取引の実行指示情報を予め定義したシナリオ情報を格納するシナリオ情報データベースと、
前記通信部が受信した注文情報の出力を管理し、前記売買取引を制御する取引制御部と、
前記取引制御部から出力された注文情報に基づいて板情報を作成すると共に、この板情報に基づいて前記売買取引を実行する取引処理部と、
を備え、
前記取引制御部は、
前記シナリオ情報データベースに格納された前記シナリオ情報を実行する場合、前記取引処理部への前記注文情報の出力経路を閉鎖して前記注文情報を一時記憶領域に蓄積すると共に、前記シナリオ情報から他の注文情報を作成して前記取引処理部へ出力し、前記板情報を更新させた後に、前記出力経路を開放して前記蓄積された注文情報を出力することを特徴とする証券取引所シミュレータ。
【請求項２】
前記シナリオ情報には実行時間情報が更に含まれており、
前記取引制御部は、前記実行時間情報に基づいて前記シナリオ情報から前記他の注文情報を作成し、前記取引処理部へ出力することを特徴とする請求項１記載の証券取引所シミュレータ。
【請求項３】
前記発注試験システムから取得される過去の注文情報と相場情報に基づいて前記シナリオ情報を作成し、このシナリオ情報を前記シナリオ情報データベースに格納するシナリオ情報作成部を更に備えることを特徴とする請求項１または請求項２記載の証券取引所シミュレータ。
【請求項４】
証券の売買取引の注文を行う発注試験システムにネットワークを介して接続された証券取引所シミュレータにおける証券取引所シミュレート方法であって、
前記発注試験システムから送信される注文情報を受信する注文情報受信ステップと、
前記売買取引の実行指示情報を予め定義したシナリオ情報を取得するシナリオ情報取得ステップと、
前記シナリオ情報を実行する場合、注文情報受信ステップにおいて受信した前記注文情報を一時記憶領域に蓄積する注文情報蓄積ステップと、
前記シナリオ情報から他の注文情報を作成し、前記売買取引に係る板情報を更新する第１の板情報更新ステップと、
前記注文情報蓄積ステップにおいて蓄積された注文情報を出力し、前記板情報を更新する第２の板情報更新ステップと、
この第２の板情報更新ステップにおいて更新された板情報に基づいて前記売買取引を実行する取引処理ステップと、
を有することを特徴とする証券取引所シミュレート方法。
【請求項５】
前記シナリオ情報には実行時間情報が更に含まれており、
前記第１の板情報更新ステップにおいては、前記実行時間情報に基づいて前記シナリオ情報から前記他の注文情報を作成し、前記売買取引に係る板情報を更新することを特徴とする請求項４記載の証券取引所シミュレート方法。
【請求項６】
前記発注試験システムから取得される過去の注文情報と相場情報に基づいて前記シナリオ情報を作成し、このシナリオ情報を前記シナリオ情報データベースに格納するシナリオ情報作成ステップを更に有することを特徴とする請求項４または請求項５記載の証券取引所シミュレート方法。
【発明の詳細な説明】
【技術分野】
【０００１】
本発明は、証券会社における売買注文発注システムの試験に利用される証券取引所シミュレータおよび証券取引所シミュレート方法に関する。
【背景技術】
【０００２】
証券会社は、注文者から受付けた売買委託注文に基づいて証券取引所に発注を行うが、注文の受付から発注までの一連の処理はコンピュータによって行われるのが一般的になっており、時間や価格などをトリガ条件として発注を行う発注条件付注文など様々な注文処理が可能な売買注文発注システムが知られている（例えば、特許文献１参照）。
【０００３】
また、売買注文発注システムは、実際に運用される前の発注試験によって十分な検証が行われる必要があるが、証券取引所と実際に接続する公開接続試験は時間的な制限もあるため、検証を十分に行うことが困難である。このため、売買注文発注システムの試験においては、実際の証券取引所の挙動を模擬する証券取引所シミュレータに接続することで所望の試験を行っている。
【先行技術文献】
【特許文献】
【０００４】
【特許文献１】特開２００１−１５５０８６号公報
【発明の概要】
【発明が解決しようとする課題】
【０００５】
しかしながら、従来の発注試験においては、実際の証券取引所との間で実施する公開接続試験の様な状況を作り出すために、膨大な注文データを事前に準備するか、あるいは、多くの人員を確保して注文データを発生させる必要があり、以下のような問題があった。
（１）注文データの準備や発生を手作業によって行うため、準備期間および人件費等のコストを要する。  
（２）実際の取引所における取引環境を模擬するためには、十分な検討の上でデータを作成する必要があり、例えばストップ高やストップ安などの特別な市場イベントをシミュレータ内で作り出すことは特に困難である。  
そこで、本発明は、実際の証券取引所における種々の取引環境を模擬でき、発注試験を効率的に行える証券取引所シミュレータおよび証券取引所シミュレート方法を提供することを目的とする。
【課題を解決するための手段】
【０００６】
本発明に係る証券取引所シミュレータは、証券の売買取引の注文を行う発注試験システムにネットワークを介して接続され、この発注試験システムから送信される注文情報を受信すると共に、この注文情報に係る取引結果を前記発注試験システムに送信する通信部と、前記売買取引の実行指示情報を予め定義したシナリオ情報を格納するシナリオ情報データベースと、前記通信部が受信した注文情報の出力を管理し、前記売買取引を制御する取引制御部と、前記取引制御部から出力された注文情報に基づいて板情報を作成すると共に、この板情報に基づいて前記売買取引を実行する取引処理部と、を備え、前記取引制御部は、前記シナリオ情報データベースに格納された前記シナリオ情報を実行する場合、前記取引処理部への前記注文情報の出力経路を閉鎖して前記注文情報を一時記憶領域に蓄積すると共に、前記シナリオ情報から他の注文情報を作成して前記取引処理部へ出力し、前記板情報を更新させた後に、前記出力経路を開放して前記蓄積された注文情報を出力することを特徴とする。
【発明の効果】
【０００７】
本発明によれば、実際の証券取引所における種々の取引環境を模擬でき、発注試験を効率的に行える証券取引所シミュレータおよび証券取引所シミュレート方法が提供される。
【図面の簡単な説明】
【０００８】
【図１】本発明の実施形態１に係る証券取引所シミュレータの全体構成例を示すブロック図。
【図２】図１に示す注文情報データベースに記憶される注文情報の具体例を示す図。
【図３】図１に示す相場情報データベースに記憶される相場情報の具体例を示す図。
【図４】図１に示すシナリオ情報データベースに記憶されるシナリオ情報の具体例を示す図。
【図５】図１に示す取引情報データベースに記憶される取引情報の具体例を示す図。
【図６】図１に示すシナリオ情報作成部におけるシナリオ情報作成処理の具体例を示すフローチャート。
【図７】ストップ安に係るシナリオ情報の作成方法の具体例を示す図。
【図８】ストップ高に係るシナリオ情報の作成方法の具体例を示す図。
【図９】図１に示す取引制御部における売買取引制御処理の具体例を示すフローチャート。
【図１０】板情報表示画面の具体例を示す図。
【図１１】図９に示すフローチャートにおけるシナリオ実行の詳細な処理例を示すフローチャート。
【図１２】ストップ安に係るシナリオ情報の実行状態を説明する図。
【図１３】ストップ高に係るシナリオ情報の実行状態を説明する図。
【図１４】図１に示すシナリオ情報データベースに記憶されるシナリオ情報の具体例を示す図。
【発明を実施するための形態】
【０００９】
＜実施形態１＞
以下、本発明の実施形態について図面を用いて説明する。図１は、本発明の実施形態１に係る証券所シミュレータ１の全体構成例を示す図である。同図に示されるように、本実施形態に係る証券取引所シミュレータ１０は、証券会社が証券の発注処理に用いる発注試験システム２０にネットワークを介して接続されている。また、発注試験システム２０には、証券を取引する証券取引所３０にネットワークを介して接続されており、証券取引所３０における実際の取引情報を入手可能な構成となっている。
【００１０】
証券取引所シミュレータ１０は、取引制御部１０１、通信部１０２、入出力部１０３、シナリオ情報作成部１０４、データベース部１０５、および取引処理部１０６を備えている。
【００１１】
取引制御部１０１は、証券取引所シミュレータ１０の各部を制御する機能を持つ。具体的には、（i）通信部１０２において受信された注文情報と相場情報をデータベース部１０５に格納する機能、（ii）入出力部１０３から出力されるシナリオ情報作成条件に基づいてシナリオ情報作成部１０４にシナリオ情報を作成させ、データベース部１０５に格納する機能、（iii）シナリオの実行時以外は通信部１０２において受信された試験用の注文情報を取引処理部１０６に出力し、シナリオの実行時はシナリオ情報から作成した注文情報を取引処理部１０６に出力する機能、（iv）取引処理部１０６における処理結果を通信部１０２に出力し、発注試験システム２０へ送信させる機能を備えている。
【００１２】
通信部１０２は、発注試験システム２０が証券取引所３０に対して実際に送信した過去の注文情報、証券取引所３０における過去の相場情報、および試験用の注文情報を受信すると共に、この試験用の注文情報または後述するシナリオ情報に基づく注文情報に対する取引処理の結果を取引制御部１０１から取得して発注試験システム２０に送信する機能を持つ。
【００１３】
入出力部１０３は、表示装置（図示省略する）、キーボードやマウスなどの入力装置（図示省略する）を持ち、証券取引所シミュレータ１０の管理者がシナリオ情報の実行指示の入力機能、処理結果などの各種画面の表示装置への表示機能を持つ。
【００１４】
シナリオ情報作成部１０４は、入出力部１０３において入力されたシナリオ情報作成条件に基づいてデータベース部１０５から注文情報と相場情報を取得し、取引処理部１０６に対して実行すべき処理の指示情報であるシナリオ情報を作成する機能を持つ。シナリオ情報作成部１０４では、実際に発注試験システム２０が証券取引所３０と取引を行った際の情報である注文情報と相場情報を利用することで、全数約定、一部約定、失効、一部失効および寄り、引け、ザラ場中など所望の状態を作り出すシナリオ情報を作成する。
【００１５】
データベース部１０５は、注文情報データベース１０５ａ、相場情報データベース１０５ｂ、シナリオ情報データベース１０５ｃ、および取引情報データベース１０５ｄを含む記憶装置である。
【００１６】
注文情報データベース１０５ａは、発注試験システム２０から証券取引所３０に対して実際に送信した過去の注文情報を格納するデータベースである。図２は、注文情報データベース１０５aに記憶される注文情報の具体例を示す図である。図２に示すように注文情報データベース１０５aには注文情報として、銘柄、注文ＩＤ、売買区分（売／買）、価格、数量、執行条件（指値／寄付／引け／成行／不成など）、時刻、および電文種別（新規／訂正／取消）などが履歴として記録されている。
【００１７】
相場情報データベース１０５ｂは、証券取引所３０における過去の相場情報を格納するデータベースである。図３は、相場情報データベース１０５ｂに記憶される相場情報の具体例を示す図である。図３に示すように相場情報データベース１０５ｂには相場情報として、銘柄、売買区分（売／買）、気配価格、数量、気配フラグ（Ｉ：一般気配／Ｔ：特別気配／Ｃ：注意気配／Ｎ：成行気配／Ｓ：最終気配／Ｂ：停止前の特別気配）、時刻、および出来高が時系列で記録されている。
【００１８】
シナリオ情報データベース１０５ｃは、シナリオ情報作成部１０４において作成されたシナリオ情報を格納するデータベースである。図４は、シナリオ情報データベース１０５ｃに記憶されるシナリオ情報の具体例を示す図である。図４に示すようにシナリオ情報データベース１０５ｃには引処理部１０６に実行させる処理がシナリオ情報として、シナリオＮｏ、処理ＩＤ、処理区分、処理条件、および実行フラグが記録されている。図４には銘柄ＡＡＡについて売価格を５００円、売数量を２００００とする指値注文を取引処理部１０６に行うことを定義したシナリオ情報が示されている。また、一つのシナリオＮｏに対しては任意の数の処理が関連付けられており、連続した処理が可能である。
【００１９】
取引情報データベース１０５ｄは、取引制御部１０１から出力された注文情報に対する取引処理の情報（以下、「取引情報」という。）を格納するデータベースである。図５は、取引情報データベース１０５ｄに記憶される取引情報の具体例を示す図である。図５に示すように取引情報データベース１０５ｄには、銘柄、注文ＩＤ、注文種別、執行条件、注文値段、注文数量、約定値段、約定価格、および実行フラグが取引条件とその処理結果として記録されている。
【００２０】
取引処理部１０６は、取引制御部１０１からの注文情報に基づいて板情報を作成し、この板情報と所定の取引規則に基づいて取引処理を行い、この取引処理の結果を取引制御部１０１へ出力し、取引情報データベース１０５ｄに格納させる機能を持つ。
【００２１】
また、発注試験システム２０は、制御部２０１、通信部２０２、データベース部２０３、および発注処理部２０４を備えている。
【００２２】
制御部２０１は、発注試験システム２０の各部を制御する機能を持つ。  
通信部２０２は、証券取引所シミュレータ１０および証券取引所３０にネットワークを介してそれぞれ接続され、データの送受信を行う機能を持つ。  
データベース部２０３は、注文情報データベース２０３ａと相場情報データベース２０３ｂを含む記憶装置である。注文情報データベース２０３ａと相場情報データベース２０３ｂは、注文情報データベース１０５ａと相場情報データベース１０５ｂのマスターデータベースであるので説明は省略する。
【００２３】
発注処理部２０４は、キーボードやマウスなどの入力装置（図示省略する）によって入力された情報に基づいて注文情報を作成し、制御部２０１へ出力する機能を持つ。制御部２０１へ出力された注文情報は、注文情報データベース２０３ａに格納されると共に、通信部２０２から証券取引所シミュレータ１０へ試験用の注文情報として送信される。
【００２４】
次に、本実施形態に係る証券取引所シミュレータ１０の動作を図面に基づいて説明する。図６は、シナリオ情報作成部１０４におけるシナリオ情報作成処理の具体例を示すフローチャートである。
【００２５】
初めに、入出力部１０３において入力されたシナリオ情報作成条件を取得する（Ｓ６０１）。シナリオ情報作成条件には、銘柄、ストップ高やストップ安などのイベント情報を用いる。
【００２６】
次に、シナリオ情報作成条件に基づいて相場情報データベース１０５ｂから該当する相場情報を取得する（Ｓ６０２）。  
次に、シナリオ情報作成条件および相場情報に基づいて注文情報データベース１０５ａから該当する注文情報を取得する（Ｓ６０３）。
【００２７】
次に、注文情報と相場情報に基づいてシナリオ情報を作成する（Ｓ６０４）。図７は、ストップ安に係るシナリオ情報の作成方法の具体例を示す図である。ここでは、シナリオ情報作成条件として銘柄として“ＡＡＡ”、イベント情報として“ストップ安”が指定された場合を例に説明する。先ず、取得された相場情報を参照すると気配フラグが“Ｂ（停止前の特別気配）”のデータが抽出され、その時刻は“１０：５９”である。次に、この時刻に基づいて気配フラグ“Ｂ”に関連したと考えられる注文情報を抽出する。そして、抽出した注文情報をそれぞれ出力する処理を一単位として複数の売買注文処理を“シナリオＮｏ：１”のシナリオ情報として作成している。一方、図８は、ストップ高に係るシナリオ情報の作成方法の具体例を示す図である。図７のシナリオ情報が取引処理部１０６に読込まれる場合にはストップ安、図８のシナリオ情報が読込まれる場合にはストップ高の取引環境が再現される。尚、シナリオ情報の作成規則は任意に変更可能である。  
最後に、作成されたシナリオ情報をシナリオ情報データベース１０５ｃに格納し、処理を終了する（Ｓ６０５）。
【００２８】
図９は、取引制御部１０１における売買取引制御処理の具体例を示すフローチャートである。
【００２９】
初めに、入出力部１０３においてシナリオ情報の実行指示が入力されたか否かを判定する（Ｓ９０１）。ここで、実行指示が入力されたと判定された場合には、Ｓ９０２へ進む。実行指示が入力されていないと判定された場合には、Ｓ９０９へ進む。
【００３０】
Ｓ９０２では、通信部１０２において受信された注文情報を取引処理部１０６へ直接出力する通常の発注経路を閉鎖する。  
次に、入出力部１０３において指定されたシナリオ情報をシナリオ情報データベース１０５ｃから読込み、実行する（Ｓ９０３）。具体的な実行方法については後述する。
【００３１】
次に、シナリオ情報の実行中に通信部１０２において発注試験システム２０から発注試験に係る新規の注文情報（以下、「新規注文情報」という。）を受信したか否かを判定する（Ｓ９０４）。ここで、新規注文情報が有ると判定された場合には、Ｓ９０５へ進む。新規注文情報が無いと判定された場合には、Ｓ９０６へ進む。  
Ｓ９０５では、シナリオ情報の実行中に受信された新規注文情報を一時記憶領域へ蓄積する。
【００３２】
Ｓ９０６では、シナリオ情報に定義された全ての処理を実行したか否かを判定する。例えば、シナリオ情報中の実行フラグの値が全て“１（完了）”に更新されているか否かよって判定を行う。ここで、全処理が完了していると判定された場合には、Ｓ９０７へ進む。未完了の処理があると判定された場合には、Ｓ９０３へ戻り、シナリオ情報に定義された全ての処理が完了するまでＳ９０２〜Ｓ９０６の処理を繰り返す。
【００３３】
Ｓ９０７では、Ｓ９０２において閉鎖された通常の発注経路を開放する。
【００３４】
次に、シナリオ情報の実行中に蓄積された注文情報を取引処理部１０６へ出力し、取引処理を行わせる（Ｓ９０８）。
【００３５】
一方、Ｓ９０９では、シナリオ情報に基づく処理を実行していない際の新規注文情報の有無を判定する。ここで、新規注文情報が有ると判定された場合には、Ｓ９１０へ進む。新規注文情報は無いと判定された場合には、Ｓ９１１へ進む。
【００３６】
Ｓ９１０では、新規注文情報を取引処理部１０６へ出力し、取引処理を行わせる。
【００３７】
次に、取引処理部１０６に出力した注文情報に対する処理結果を取得し、入出力部１０３へ出力することで表示装置（図示省略する）に表示させ、処理を終了する。図１０は、板情報表示画面の具体例を示す図である。
【００３８】
図１１は、図９のＳ９０３における詳細な処理例を示すフローチャートである。
【００３９】
初めに、入出力部１０３において入力されたシナリオＮｏを取得する（Ｓ１１０１）。
次に、シナリオＮｏをキーとしてシナリオ情報データベース１０５ｃを参照し、該当するシナリオ情報が存在するか否かを判定する（Ｓ１１０２）。ここで、該当するシナリオ情報が存在すると判定された場合には、Ｓ１１０３へ進む。該当するシナリオ情報が存在しないと判定された場合には、Ｓ１１０１へ戻り、他のシナリオＮｏが入力されるまで待機する。
【００４０】
Ｓ１１０３では、指定されたシナリオＮｏのシナリオ情報をシナリオ情報データベース１０５ｃから取得する。  
次に、未処理のシナリオ情報か否かを実行フラグに基づいて判定する（Ｓ１１０４）。ここで、未処理のシナリオ情報と判定された場合には、Ｓ１１０５へ進む。処理の完了したシナリオ情報と判定された場合には、処理を終了する。
【００４１】
Ｓ１１０５では、シナリオ情報の中から順次取り出したレコードが売買取引処理の実行指示か否かを判定する。ここで、売買取引処理の実行指示と判定された場合には、Ｓ１１０６へ進む。売買取引処理以外の実行指示と判定された場合には、Ｓ１１０８へ進む。
【００４２】
Ｓ１１０６では、シナリオ情報の中から取り出したレコードに基づいて注文情報を作成する。  
次に、作成された注文情報を取引処理部１０６へ出力し、板情報の更新を行わせる（Ｓ１１０７）。尚、板情報内に既に存在する注文情報は削除せず、シナリオ情報に基づく新たな注文情報を追加することによって更新するものとする。
【００４３】
Ｓ１１０８では、シナリオ情報の中から取り出したレコードに基づいて所定の処理情報を作成する。  
次に、作成された処理情報を取引処理部１０６へ出力し、処理を行わせる（Ｓ１１０９）。
【００４４】
Ｓ１１１０では、シナリオ情報に定義された処理単位で実行フラグを“１（処理完了）”に更新する。図１２は、ストップ安に係るシナリオ情報の実行状態を説明する図である。ここでは、シナリオ情報に含まれる処理が売買注文処理であり、この処理の実行指示が取引処理部１０６に行われ、取引処理部１０６において注文情報が板情報に順次反映されるとシナリオ情報内の実行フラグの更新要求がなされることが示されている。また、図１３は、ストップ高に係るシナリオ情報の実行状態を説明する図である。
【００４５】
Ｓ１１１１では、指定されたシナリオ情報に定義された全処理が実行されたか否かを判定する。ここで、全処理の実行を完了したと判定された場合には、Ｓ１１１２へ進む。未完了の処理が有ると判定された場合には、Ｓ１１０５へ戻り、全ての処理を完了するまでＳ１１０５〜Ｓ１１１１の処理を繰り返す。
【００４６】
Ｓ１１１２では、シナリオ情報に定義された処理単位で実行フラグを“０（未処理）”に更新して初期化を行い、処理を終了する。
【００４７】
したがって、本実施形態に係る証券取引所シミュレータ１０を用いることにより、以下の効果が生じる。  
（１）市場の動きを予め定義したシナリオ情報により発注試験に必要な取引環境を証券取引所シミュレータ１０内に再現することが可能となる。  
（２）実際の証券取引所とアクセスした結果を注文情報、相場情報として蓄積しておくことで、実際の証券取引所で発生した状況に近い状態を必要な試験パターンとして証券取引シミュレータ内に再現させ、発注試験を実施することが可能となる。
【００４８】
＜実施形態２＞
以下、本実施形態に係る証券取引所シミュレータ１０について図面を用いて説明する。尚、本実施形態は実施形態１と比較してシナリオ情報の項目のみが異なり、共通する符号は同一物を表すため説明を省略し、異なる箇所についてのみ説明する。
【００４９】
図１４は、シナリオ情報データベース１０５ｃに記憶されるシナリオ情報の具体例を示す図である。ここでは、図４に示されるシナリオ情報に対してシナリオ実行時間の項目が追加されている。また、データ例では、銘柄ＡＡＡについて売価格を５００円、売数量を２０，０００とする指値注文を１０：００に取引処理部１０６に対して行うことを定義したシナリオ情報が示されている。
【００５０】
このように、シナリオ情報に実行時間情報を含ませることで、シナリオ情報を読込み、取引処理部１０６の取引処理を行わせる時間を任意に設定することが可能となる。したがって、取引制御部１０１は、このシナリオ実行時間情報を参照して実行すべきシナリオ情報を順次実行するため、発注試験システム２０では、証券取引所３０と接続した状態に近い試験を実施することが可能となる。
【符号の説明】
【００５１】
１０…証券取引所シミュレータ、
２０…発注試験システム、
３０…証券取引所、
１０１…取引制御部、
１０２…通信部、
１０３…入出力部、
１０４…シナリオ情報作成部、
１０５…データベース部、
１０５ａ…注文情報データベース、
１０５ｂ…相場情報データベース、
１０５ｃ…シナリオ情報データベース、
１０５ｄ…取引情報データベース、
１０６…取引処理部、
２０１…制御部、
２０２…通信部、
２０３…データベース部、
２０３ａ…注文情報データベース、
２０３ｂ…相場情報データベース、
２０４…発注処理部。
【図１】
2010211491.tif 000003
【図２】
2010211491.tif 000004
【図３】
2010211491.tif 000005
【図４】
2010211491.tif 000006
【図５】
2010211491.tif 000007
【図６】
2010211491.tif 000008
【図７】
2010211491.tif 000009
【図８】
2010211491.tif 000010
【図９】
2010211491.tif 000011
【図１０】
2010211491.tif 000012
【図１１】
2010211491.tif 000013
【図１２】
2010211491.tif 000014
【図１３】
2010211491.tif 000015
【図１４】
2010211491.tif 000016